(57)【要約】      （修正有）【課題】相互干渉せずに、信号伝送するケーブル配置構造を提供する。【解決手段】ケーブル配置構造は、コネクター１０、複数の電力コード、アースコード及び二信号コードを含む。該コネクター１０は台座体１１を備え、該台座体１１内部で、隣接する多数の端子納置槽１４を仕切る。各一該電力コードは電力芯線及び該電力芯線に電気連接する電力端子２２を含み、各該電力端子２２は該端子納置槽１４内にそれぞれ差し込む。該アースコードはアース芯線及び該アース芯線に電気連接する一アース端子３２を含み、該アース端子３２もまた該端子納置槽１４内に差し込む。各信号コードは信号芯線及び該信号芯線に電気連接する信号端子４２を含み、該二信号端子は隣接しない方式で、該端子納置槽１４内にそれぞれ差し込む。【選択図】図２
0003178620.tif 000002
【実用新案登録請求の範囲】
【請求項１】
ケーブル配置構造において、
台座体を備え、該台座体内部で相互に隣接する多数の端子納置槽を隔てるコネクターと、
各々が電力芯線及び該電力芯線に電気連接する電力端子を含み、各該電力端子はそれぞれ該端子納置槽内に差し込む複数の電力コードと、
アース芯線及び該アース芯線に電気連接するアース端子を含み、該アース端子もまた該端子納置槽内に差し込むアースコードと、
各々の信号コードが、信号芯線及び該信号芯線に電気連接する信号端子を含み、該二信号端子は隣接しない方式で、それぞれ該端子納置槽内に差し込む二信号コードを含むことを特徴とするケーブル配置構造。
【請求項２】
前記複数の端子納置槽は、中間位置の第一槽孔及び該第一槽孔を中心として円形に配列した複数の槽孔を含むことを特徴とする請求項１記載のケーブル配置構造。
【請求項３】
前記アース端子は、該第一槽孔内に設置することを特徴とする請求項２記載のケーブル配置構造。
【請求項４】
前記複数の端子納置槽は、中間位置の第一槽孔及び該第一槽孔を中心として且つ順に円形に配列した第二から第七槽孔を含むことを特徴とする請求項１記載のケーブル配置構造。
【請求項５】
前記アース端子は、該第一槽孔内に設置し、そのうちの一信号端子は該第三槽孔内に設置し、別一信号端子は該第六槽孔内に設置することを特徴とする請求項４記載のケーブル配置構造。
【請求項６】
前記アース端子は、該第六槽孔内に設置し、そのうちの一信号端子は該第五槽孔内に設置し、別一信号端子は該第七槽孔内に設置することを特徴とする請求項４記載のケーブル配置構造。
【請求項７】
前記電力コードの個数は、四個であり、それは二本の電源線と二本のアースを含み、各該電源線はそれぞれ各該アースの仕切によって隣接しないことを特徴とする請求項４記載のケーブル配置構造。
【請求項８】
前記各電力端子、該アース端子と該二信号端子は、各々がオス・コネクタであることを特徴とする請求項１記載のケーブル配置構造。
【請求項９】
前記各電力端子、該アース端子と該二信号端子は、各々がメス・コネクタであることを特徴とする請求項１記載のケーブル配置構造。
【請求項１０】
前記各一電力コードは、更に各電力芯線の外表面を被覆した絶縁層を含むことを特徴とする請求項１記載のケーブル配置構造。
【請求項１１】
前記アースコードは、更に該アース芯線の外表面を被覆した絶縁層を含むことを特徴とする請求項１記載のケーブル配置構造。
【請求項１２】
前記任意の一信号コードは、更に任意の信号芯線の外表面を被覆した絶縁層を含むことを特徴とする請求項１記載のケーブル配置構造。
【考案の詳細な説明】
【技術分野】
【０００１】
本考案は、ケーブル構造に関するもので、特にケーブルの配置構造に係わる。
【背景技術】
【０００２】
科学技術の進歩及び情報ネットワークの発展によって、人々の生活は大幅に変わった。そのうち、ネットワークの全体はケーブル構造もしくは光ファイバーによって連接及び信号伝達を行うが、ケーブル構造の良し悪しが、信号の伝送速度と伝送品質に直接影響する。本考案者は、前述の理由に基づき、ケーブル構造に対して本考案で改善を行う。
【０００３】
公知のケーブル構造は、主に電力コード、アースコード及び信号コードを含む。電力コード及び信号コード間は、合わせて束ねて結合した後、絶縁層を射出方式で被覆して成形する。更に電力コード、アースコード及び信号コードのコード体の間は、束ねる方法で合わせ，コネクターで前述の電力コード、アースコードと信号コードの一端に差し込み、ケーブル構造を構成する。
【先行技術文献】
【特許文献】
【０００４】
【特許文献１】特開２００８−３００１２８号公報
【考案の概要】
【考案が解決しようとする課題】
【０００５】
解決しようとする問題点は、公知ケーブル構造の電力コード、アースコードと信号コードは、揃えて合わせる方式で結合するが、信号コードは高周波の電気信号に属するため、その他各種低周波の電気信号伝送に影響を与える。他に各信号コードは規則的に敷設するのではないため、各信号コードの電気信号が相互干渉の状況を発生させ、電気信号の伝送品質に影響を与える点である。
【課題を解決するための手段】
【０００６】
本考案は、コネクター、複数の電力コード、アースコード及び二信号コードを含む。該コネクターは台座体を備え、該台座体内部で、隣接する多数の端子納置槽を仕切る。各一該電力コードは電力芯線及び該電力芯線に電気連接する電力端子を含み、各該電力端子は該端子納置槽内にそれぞれ差し込む。該アースコードはアース芯線及び該アース芯線に電気連接する１つのアース端子を含み、該アース端子もまた該端子納置槽内に差し込む。各１つの該信号コードは信号芯線及び該信号芯線に電気連接する信号端子を含み、該二信号端子は隣接しない方式で、該端子納置槽内にそれぞれ差し込むことを最も主要な特徴とする。
【考案の効果】
【０００７】
本考案のケーブル配置構造は、アース端子で二信号端子の間に敷設し、二信号端子が更に良好な仕切効果を備える。電力コード、アースコード及び信号コードの独立包装製作によって相互の周波数差によって発生する干渉状況を防止し、更にケーブル配置構造の伝送品質を向上させるという利点がある。
【図面の簡単な説明】
【０００８】
【図１】本考案のケーブルの配置構造組立外観図である。
【図２】本考案のケーブルの配置構造組立断面図である。
【図３】本考案の別一実施例組立断面図である。
【図４】本考案の更に別の一実施例組立外観図である。
【図５】本考案の更に別の一実施例組立断面図である。
【図６】本考案のケーブル配置構造使用状態図である。
【考案を実施するための形態】
【０００９】
各信号端子の仕切配置によって、相互に干渉しない状況で信号の伝送を行うケーブル配置構造を提供することを本考案の目的とする。
【００１０】
上述の目的を達成するため、本考案は一種のケーブル配置構造を提供し、それはコネクター、複数の電力コード、アースコード及び二信号コードを含む。該コネクターは台座体を備え、該台座体内部は相互に隣接する多数個の端子納置槽で仕分ける。各電力コードは電力芯線及び該電力芯線を電気連接する電力端子を含み、各該電力端子は該端子納置槽内にそれぞれ差し込む。該アースコードはアース芯線及び該アース芯線に電気連接する一アース端子を含み、該アース端子もまた該端子納置槽内に差し込む。各該信号コードは、信号芯線及び該信号芯線に電気連接する信号端子を含み，該二信号端子は隣接しない方式で該端子納置槽内にそれぞれ差し込む。
【実施例】
【００１１】
本考案の詳細説明び技術的内容に関して、図式を挙げて以下のように説明するが、それらは説明するために用いたものであり、本考案を制限するものではない。
【００１２】
図１及び図２に示すとおり、本考案は、ケーブル配置構造を提供し、本実施例は、主にコネクター１０、四本の電力コード２０、一本のアースコード３０及び二本の信号コード４０を含む。
【００１３】
コネクター１０は、プラスチック等絶縁材で製造し、それは中空の円筒形台座体１１と円筒形台座体１１端部に連接する回転つまみ１２を備える。台座体１１内部は多数の仕切板１３を備え、相互隣接する多数の端子納置槽１４を形成して仕切る。本実施例の端子納置槽１４の個数は七個であるが、これに制限されない。これら端子納置槽１４は主に中間位置の第一槽孔１４１及び第一槽孔１４１を中心として円形に配列する第二から第七槽孔１４２、１４３、１４４、１４５、１４６、１４７を含む。
【００１４】
各電力コード２０は、電力芯線２１及び電力芯線２１に電気連接する電力端子２２を含み、電力芯線２１は銅線とする。電力端子２２は本実施例ではオス・コネクタであり、各電力端子２２は前述の端子納置槽１４の第二槽孔１４２、第四槽孔１４４、第五槽孔１４５及び第七槽孔１４７内にそれぞれ差し込む。他に、各電力芯線２１の外表面は絶縁層２３が覆い、その絶縁層２３はポリエチレン（ＰＥ）、ポリ塩化ビニル（ＰＶＣ）、ポリプロピレン（ＰＰ）もしくは難燃ポリエチレン（ＦＲＰＥ）で構成する。その他、四本の電力コード２０には、二本の電源線と二本のアースがあり、その二本の電源線にもまた、それぞれ二本のアースによって隔てられ接触しない。本実施例の二本の電源線の電力端子２２は、第二槽孔１４２と第五槽孔１４５内にそれぞれ位置し、二本のアースの電力端子２２は、第四槽孔１４４と第七槽孔１４７内にそれぞれ位置する。
【００１５】
アースコード３０は、アース芯線３１及びアース芯線３１を電気連接したアース端子３２を含む。アース芯線３１は銅線とする。アース端子３２は本実施例ではオス・コネクタであり、アース端子３２前述の端子納置槽１４の第一槽孔１４１内に差し込む。他に、アース芯線３１の外表面は絶縁層３３が覆い、その絶縁層３３はポリエチレン、ポリ塩化ビニル、ポリプロピレンもしくは難燃ポリエチレンで構成される。
【００１６】
各信号コード４０は、信号芯線４１及び信号芯線４１を電気連接した信号端子４２を含む。信号芯線４１は銅線とする。信号端子４２は本実施例ではオス・コネクタであり、そのうちの信号端子４２は前述の端子納置槽１４の第三槽孔１４３内に差し込む。他に一信号端子４２は前述の端子納置槽１４の第六槽孔１４６内に差し込み、その二信号端子４２は相互に隣接しない方式で配置される。他に信号芯線４１の外表面は絶縁層４３が覆い、その絶縁層４３は同じくポリエチレン、ポリ塩化ビニル、ポリプロピレンもしくは難燃ポリエチレン（ＦＲＰＥ）で構成される。
【００１７】
図３に示すとおり、本考案のケーブル配置構造は、上述の実施例の他に、その各電力端子２２は前述の端子納置槽１４の第一槽孔１４１、第二槽孔１４２、第三槽孔１４３、第四槽孔１４４内にそれぞれ差し込む。アース端子３２は前述の端子納置槽１４の第六槽孔１４６内に差し込む。そのうちの信号端子４２は前述の端子納置槽１４の第五槽孔１４５内に差し込み、他に信号端子４２は前述の端子納置槽１４の第七槽孔１４７内に差し込み、その二信号端子４２は隣接しない方式で配置する。本実施例の二本の電源線の電力端子２２は第二槽孔１４２と第四槽孔１４４内にそれぞれ位置し、二本のアースの電力端子２２は第一槽孔１４１と第三槽孔１４３内にそれぞれ位置する。
【００１８】
図４及び図５に示すとおり、本考案的ケーブル配置構造は、上述の実施例の他に、上述コネクター１０と連接するジョイントコネクター１０’でもよく、そのケーブル配置構造と前述実施例の主な違いは、各電力端子２２’は前述の各電力端子２２と相互に差し込み導通するメス・コネクタである。アース端子３２’は、前述アース端子３２と相互差し込み導通するメス・コネクタでもよい。同じく信号端子４２’は前述信号端子４２と相互に差し込み導通するメス・コネクタでもよい。且つ各電力端子２２’、アース端子３２’と信号端子４２’は、前述各槽孔と配置方式で前述実施例と同じである。
【００１９】
図６に示すとおり、本考案的ケーブル配置構造を使用する時、コネクター１０でジョイントコネクター１０’に真正面に差し込み、各電力端子２２、２２’、各アース端子３２、３２’と各信号端子４２、４２’を相互に差し込み、続いて回転つまみ１２で旋入ジョイントコネクター１０’のネジ紋段を回転して結合し、通電すると、即座に前述の各端子が電気導通する。
【符号の説明】
【００２０】
１０        コネクター
１０´      ジョイントコネクター
１１        台座体
１２        回転つまみ
１３        仕切板
１４        端子納置槽
１４１      第一槽孔
１４２      第二槽孔
１４３      第三槽孔
１４４      第四槽孔
１４５      第五槽孔
１４６      第六槽孔
１４７      第七槽孔
２０        電力コード
２１        電力芯線
２２        電力端子
２２´      電力端子
２３        絶縁層
３０        アースコード
３１        アース芯線
３２        アース端子
３２´      アース端子
３３        絶縁層
４０        信号コード
４１        信号芯線
４２        信号端子
４２´      信号端子
４３        絶縁層
【図１】
0003178620.tif 000003
【図２】
0003178620.tif 000004
【図３】
0003178620.tif 000005
【図４】
0003178620.tif 000006
【図５】
0003178620.tif 000007
【図６】
0003178620.tif 000008